【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
暗号化を各無線ベアラーに選択的に適用する無線インタフェースの無線ベアラーを介してデータを送信する方法であって、
所定階層（７０１、７０２、７０３）から無線資源制御（ＲＲＣ）階層（７０４）に暗号化遂行情報を転送することであって、
該暗号化遂行情報は、暗号化処理を実行するかどうかを示す、ことと、
該無線資源制御（ＲＲＣ）階層（７０４）から該無線リンク制御（ＲＬＣ）階層（７０６）に各無線ベアラーの該暗号化遂行情報を転送することと、
該暗号化遂行情報に従って該無線リンク制御階層（７０６）で各無線ベアラーのデータを選択的に暗号化することと
を包含する方法。
【請求項２】
前記所定階層（７０１、７０２、７０３）から前記無線資源制御（ＲＲＣ）階層（７０４）に無線ベアラー設定情報を転送することと、
該無線資源制御（ＲＲＣ）階層（７０４）で該無線ベアラー設定情報に従って下位階層（７０５、７０６、７０７、７０８）の該無線ベアラーを設定すること
をさらに包含する、請求項１に記載の方法。
【請求項３】
前記所定階層（７０１、７０２、７０３）は、上位階層（７０２）、ブロードキャスト／マルチキャスト制御（ＢＭＣ）階層（７０３）、またはピア無線資源制御（ｐｅｅｒ  ＲＲＣ）階層（７０１）である、請求項１に記載の方法。
【請求項４】
前記暗号化遂行情報は、非アクセス階層（ＮＡＳ）メッセージを利用して前記上位階層（７０２）に転送される、請求項１に記載の方法。
【請求項５】
前記無線リンク制御（ＲＬＣ）階層（７０６）は前記無線ベアラー設定時に生成される、請求項１に記載の方法。
【請求項６】
設定された前記無線ベアラーを利用してデータサービスの提供途中に前記暗号化遂行情報が変更できる、請求項１に記載の方法。
【請求項７】
前記暗号化遂行情報の変更は前記所定階層（７０１、７０２、７０３）から転送される暗号インディケータの変更によって行われる、請求項６に記載の方法。
【請求項８】
前記暗号化遂行情報および無線ベアラー設定情報は、無線ベアラー設定要請を受け取ると、所定階層（７０１、７０２、７０３）から前記無線資源制御（ＲＲＣ）階層（７０４）に転送され、
該無線資源制御（ＲＲＣ）階層（７０４）で、下位階層（７０５〜７０８）の無線ベアラーは、該無線ベアラー設定情報に従って設定され、
無線リンク制御（ＲＬＣ）階層（７０６）は、該無線ベアラー設定要請に応答して生成している、請求項１から７のいずれかに記載の方法
【請求項９】
前記暗号化は、受け取られるすべての無線ベアラー設定要求に対して選択的に行われる、請求項８に記載の方法。
【請求項１０】
前記暗号化遂行情報は、暗号インディケータである、請求項１から９のいずれかに記載の方法。
【請求項１１】
暗号化を変更する方法であって、
前記無線リンク制御（ＲＬＣ）階層（７０６）で前記所定階層（７０１、７０２、７０３）から転送された暗号化遂行情報に従ってデータの暗号化を行うことと、
該所定階層（７０１、７０２、７０３）で該暗号化遂行情報を更新することと、
該更新された暗号化遂行情報を該無線リンク制御（ＲＬＣ）階層（７０６）に転送することと、
該更新された暗号化遂行情報に従って該データの暗号化を選択的に行うこと
を包含する、請求項１から１０のいずれかに記載の方法。
【請求項１２】
モバイル通信トランシーバでデータを暗号化する方法であって、
無線リンク制御（ＲＬＣ）階層（７０４）で無線リンク制御（ＲＬＣ）階層（７０６）および無線ベアラーは、データサービス要求を満たすために設定される、請求項１に記載の方法。
【請求項１３】
前記データサービス要求は、前記所定階層（７０１、７０２、７０３）から前記無線リンク制御（ＲＬＣ）階層（７０４）に転送される、請求項１２に記載の方法。
【請求項１４】
無線ベアラー設定情報は、前記所定階層（７０１、７０２、７０３）から前記無線リンク制御（ＲＬＣ）階層（７０４）に転送される、請求項１２もしくは請求項１３に記載の方法。
【請求項１５】
前記暗号化遂行情報は、設定された前記無線ベアラーを利用してデータサービスの提供途中に変更できる、請求項１２に記載の方法。
【請求項１６】
無線ベアラープロトコルで設定する方法であって、
（ａ）暗号化遂行情報を前記所定階層（７０１、７０２、７０３）から前記無線リンク制御（ＲＬＣ）階層（７０６）に転送することと、
（ｂ）前記暗号化遂行情報に従って該無線リンク制御（ＲＬＣ）階層（７０６）で前記無線ベアラーを介して通信されるのデータを選択的に暗号化することと
を包含する、請求項１に記載の方法。
【請求項１７】
（ａ）および（ｂ）は複数の無線ベアラーのそれぞれに対して行われ、
前記ベアラーのそれぞれに対応する前記暗号化遂行情報は、該それぞれの無線ベアラーを介して通信される該情報が、前記それぞれの無線リンク制御（ＲＬＣ）階層（７０６）で暗号化されるかどうかを示する、請求項１６に記載の方法。
【請求項１８】
前記複数の無線ベアラーが同時に存在し、
該複数の無線ベアラーのいくつかに対応する前記暗号化遂行情報は、該それぞれの無線ベアラーを介して通信される該情報が、前記それぞれの無線リンク制御（ＲＬＣ）階層（７０６）で暗号化されることを示し、
該複数の無線ベアラーのいくつかに対応する該暗号化遂行情報は、該それぞれの無線ベアラーを介して通信される該情報が、該それぞれの無線リンク制御（ＲＬＣ）階層（７０６）で暗号化されないことを示す、請求項１７に記載の方法。
【請求項１９】
前記無線ベアラーの存在の際に、少なくとも２回（ａ）および（ｂ）を行うことをさらに包含し、前記暗号化遂行情報は、該無線ベアラーを介して通信される該情報が、前記無線リンク制御（ＲＬＣ）階層（７０６）で暗号化されるかどうかを示し、
該暗号化遂行情報は、
（ｃ）該無線ベアラーを介して通信される該情報が該無線リンク制御（ＲＬＣ）階層（７０６）で暗号化されることを示す状態から該無線ベアラーを介して通信される該情報が該無線リンク制御（ＲＬＣ）階層（７０６）で暗号化されないことを示す状態に変わり、または、
（ｄ）該無線ベアラーを介して通信される該情報が該無線リンク制御（ＲＬＣ）階層（７０６）で暗号化されないことを示す状態から該無線ベアラーを介して通信される該情報が該無線リンク制御（ＲＬＣ）階層（７０６）で暗号化されることを示す状態に変わる、請求項１６に記載の方法。
【請求項２０】
前記それぞれの無線ベアラーの存在の際に、前記複数の無線ベアラーに対して少なくとも２回（ａ）および（ｂ）を行うことをさらに包含し、該複数の無線ベアラーのそれぞに対して、前記対応する暗号化遂行情報は、
（ｃ）該それぞれの無線ベアラーを介して通信される該情報が該それぞれの無線リンク制御（ＲＬＣ）階層（７０６）で暗号化されることを示す状態から該それぞれの無線ベアラーを介して通信される情報が該それぞれの無線リンク制御（ＲＬＣ）階層（７０６）で暗号化されないことを示す状態に変わり、または、
（ｄ）該それぞれの無線ベアラーを介して通信される該情報が該それぞれの無線リンク制御（ＲＬＣ）階層（７０６）で暗号化されないことを示す状態から該それぞれの無線ベアラーを介して通信される該情報が該それぞれの無線リンク制御（ＲＬＣ）階層（７０６）で暗号化されることを示す状態に変わる、請求項１８に記載の方法。